(57)【要約】多数の顧客に供給する中央局機器のｘＤＳＬ接続のためのフロントエンド構成要素を備えたＣＰＥデバイスの動作を終了する方法は、ＣＰＥデバイスの電源喪失またはスイッチオフ動作の場合（Ｓ１０）に電源喪失情報を中央局機器に送出するステップ（Ｓ２０）と、中央局機器が他の顧客のｘＤＳＬ接続において起こり得るキャンセルされないクロストークの導入を避けるのに必要な間、終端インピーダンスを安定に保つように、フロントエンド構成要素のために供給電力を作動状態に保つことによって、フロントエンド構成要素の終端インピーダンスの変化を避けるために、所定の時間の間、フロントエンド構成要素に電力供給するステップ（Ｓ３０）と、を含む。
2015527763.tif 000002
【特許請求の範囲】
【請求項１】
多数の顧客に供給する中央局機器のｘＤＳＬ接続のためのフロントエンド構成要素（１３）を備えたＣＰＥデバイス（９）の動作を終了する方法であって、
前記ＣＰＥデバイスの電源喪失またはスイッチオフ動作の場合（Ｓ１０）に、電源喪失情報を前記中央局機器に送出するステップ（Ｓ２０）と、
キャンセルされないクロストークの導入を避けるのに前記中央局機器が必要な間、終端インピーダンスを安定に保つように、前記フロントエンド構成要素（１３）のために供給電力（１０）を作動状態に保つことによって、前記フロントエンド構成要素の前記終端インピーダンスの変化を避けるために、所定の時間期間の間、前記フロントエンド構成要素に電力供給するステップ（Ｓ３０）と、
を含む、前記方法。
【請求項２】
前記フロントエンド構成要素（１３）の供給電圧（Ｖｓ２）を、中央処理装置（１２）の供給電圧（Ｖｓ１）から分離するために、前記フロントエンド構成要素（１３）を、前記ＣＰＥデバイスの前記中央処理装置（１２）からデカップリングするステップを含む、請求項１に記載の方法。
【請求項３】
前記フロントエンド構成要素の前記供給電圧（Ｖｓ２）を、前記中央処理装置の前記供給電圧（Ｖｓ１）から分離するために、分離手段（１３）、例えばスイッチまたは整流素子を含めるステップを含む、請求項２に記載の方法。
【請求項４】
交流もしくは直流電源中断または電源喪失を検出したときに、ダイイングギャスプ電源喪失表示を前記中央局機器に送出するステップを含む、請求項１、２または３に記載の方法。
【請求項５】
前記ＣＰＥデバイス（９）の電源喪失またはスイッチオフ動作の場合に、前記ｘＤＳＬ接続のアップストリーム送信経路のアップストリーム信号を遮断するが、前記ｘＤＳＬ接続の前記ライン終端インピーダンスに影響を及ぼさないように、前記アップストリーム送信経路を電力供給された状態に保つステップを含む、請求項１乃至４のいずれか一項に記載の方法。
【請求項６】
前記ｘＤＳＬ接続のダウンストリーム送信経路上で、前記中央局機器のダウンストリーム信号の存在をモニターするステップ（Ｓ４０）と、前記ダウンストリーム信号がもはや存在しなくなった場合（Ｓ５０）は、前記ｘＤＳＬ接続の前記アップストリーム送信経路を電源オフするステップ（Ｓ６０）と、を含む、請求項５に記載の方法。
【請求項７】
電源スイッチが押されるとすぐに、前記ＣＰＥデバイス（９）は電源ダウン表示を前記中央局機器に送出するが、遅延回路によって決まる遅延を有して、前記電源スイッチを用いて電源をスイッチオフするように、前記ＣＰＥデバイスの前記電源スイッチに前記遅延回路を実装するステップを含む、請求項１乃至６のいずれか一項に記載の方法。
【請求項８】
請求項１乃至７のいずれか一項に記載の方法を行う、ＣＰＥデバイス（９）。
【請求項９】
中央処理装置（１２）と、
中央局機器とのｘＤＳＬ接続のためのフロントエンド構成要素（１３）と、
前記中央処理装置（１２）のための第１の供給電圧（Ｖｓ１）および前記フロントエンド構成要素（１３）のための第２の供給電圧（Ｖｓ２）を供給する電源ユニット（１０）と、
前記第２の供給電圧（Ｖｓ２）を前記第１の供給電圧（Ｖｓ１）からデカップリングするための分離手段（１６）と、
を備えた、ＣＰＥデバイス（９）であって、
前記ＣＰＥデバイス（９）の電源喪失またはスイッチオフ動作の場合に、電源喪失情報を前記中央局機器に送出し、所定の時間期間の間、前記フロントエンド構成要素（１３）の終端インピーダンスの変化を避けるために、前記電源喪失または前記スイッチオフ動作の後に前記所定の時間期間の間、前記フロントエンド構成要素（１３）はアクティブのままとなる、前記ＣＰＥデバイス。
【請求項１０】
前記ＣＰＥデバイスは、前記電源ユニット（１０）がスイッチオフされたときまたは電源喪失の場合に、前記フロントエンド構成要素（１３）に電荷を供給するように、前記第２の供給電圧（Ｖｓ２）をフィルタリングし、前記フロントエンド構成要素に結合された、コンデンサ（１５）を備える、請求項９に記載のＣＰＥデバイス。
【請求項１１】
前記中央局機器がキャンセルされないクロストークの導入を避けるのに必要な間、前記フロントエンド構成要素（１３）の前記終端インピーダンスを安定に保つために、前記コンデンサ（１５）の容量は、前記所定の時間期間の間、前記フロントエンド構成要素（１３）に電力供給するのに十分である、請求項１０に記載のＣＰＥデバイス。
【請求項１２】
前記コンデンサ（１５）は、前記電源ユニット（１０）のスイッチオフの後にまたは電源喪失の場合に、少なくとも５０ｍｓの間、前記フロントエンド構成要素（１３）を動作させ続けるのに十分な容量を備える、請求項１０または１１に記載のＣＰＥデバイス。
【請求項１３】
前記ＣＰＥデバイスは、前記ＣＰＥデバイスが、スイッチオフの後に前記所定の時間期間の間、オンのままとなり、次いで前記ＣＰＥデバイスをスイッチオフするように、遅延機能を有する電源スイッチを備える、請求項１乃至１２のいずれか一項に記載のＣＰＥデバイス。
【請求項１４】
前記ＣＰＥデバイスは、前記ＣＰＥデバイスの電源喪失またはスイッチオフ動作の場合に、前記ｘＤＳＬ接続のアップストリーム送信経路のアップストリーム信号を遮断するが、前記フロントエンド構成要素（１３）のライン終端インピーダンスに影響を及ぼさないように、前記アップストリーム送信経路を電力供給された状態に保つ、請求項１乃至１３のいずれか一項に記載のＣＰＥデバイス。
【請求項１５】
前記ｘＤＳＬ接続の前記アップストリーム送信経路は、前記所定の時間期間の間、前記フロントエンド構成要素（１３）によって電力供給されたままとなる、請求項１４に記載のＣＰＥデバイス。
【請求項１６】
前記フロントエンド構成要素（１３）は、タイマの終了の後、またはＤＳＬＡＭのダウンストリーム信号の消失の検出の後に、前記アップストリーム送信経路をスイッチオフする、請求項１４に記載のＣＰＥデバイス。
【請求項１７】
前記フロントエンド構成要素（１３）は、ｘＤＳＬラインドライバである、請求項９乃至１６のいずれか一項に記載のＣＰＥデバイス。
【請求項１８】
前記分離手段（１６）は、整流素子、例えばダイオード、またはスイッチである、請求項９乃至１７のいずれか一項に記載のＣＰＥデバイス。
【請求項１９】
前記ＣＰＥデバイス（９）は、住宅用ゲートウェイである、請求項９乃至１８のいずれか一項に記載のＣＰＥデバイス。
【請求項２０】
前記ＣＰＥデバイス（９）は、ベクトル化されたＶＤＳＬ２ブロードバンド接続を介して中央局機器と共に動作するように設計される、請求項９乃至１９のいずれか一項に記載のＣＰＥデバイス。
【発明の詳細な説明】
【技術分野】
【０００１】
本発明は、ブロードバンドサービスを顧客に配信するサービスプロバイダにディジタル加入者線を介して結合された、顧客宅内機器デバイスの分野に関する。
【背景技術】
【０００２】
住宅用ゲートウェイは、顧客の自宅内のデバイスをインターネットまたは任意の他のワイドエリアネットワーク（ＷＡＮ）に接続するために広く用いられる。住宅用ゲートウェイは例えば、銅線を通して高データレート伝送を可能にするディジタル加入者線（ＤＳＬ）技術を用いる。近年において、データレートおよび範囲において異なるいくつかのＤＳＬ標準、例えばＡＤＳＬ、ＡＤＳＬ２、ＶＤＳＬ、およびＶＤＳＬ２が制定されており、これらはこれに関連してｘＤＳＬと呼ばれる。ネットワークオペレータ、例えばインターネットサービスプロバイダ（ＩＳＰ）は、数百万に至るまでの大量の住宅用ゲートウェイ、またルータ、スイッチ、電話機、およびセットトップボックスなどの他のデバイスを管理しており、これらはこれに関連して顧客宅内機器（ＣＰＥ）デバイスとして理解される。
【０００３】
顧客のホームネットワークのためにｘＤＳＬサービスを提供するワイドエリアネットワークは、図１に概略的に示され、ＩＳＰのＩＳＰネットワーク１は、住宅用ゲートウェイ２および顧客の１つまたはいくつかのクライアントデバイス３にインターネットサービスを提供するために、インターネットルータ７を介してグローバルインターネット８に接続される。ＩＳＰネットワーク１と住宅用ゲートウェイ２の間の接続は、ブロードバンドリモートアクセスサーバー（ＢＲＡＳ）６およびディジタル加入者線アクセスマルチプレクサ（ＤＳＬＡＭ）５を用いてもたらされる。ＢＲＡＳ６はインターネットルータ７と一緒にＩＳＰの中央局内に設けることができ、一方、ＤＳＬＡＭ５はＣＰＥデバイス２の近くに配置される。ＢＲＡＳ６およびＤＳＬＡＭ５は、本出願との関連において、ＩＳＰの中央局機器の一部と理解される。ｘＤＳＬ接続４を介して、住宅用ゲートウェイ２およびまた他の顧客のホームネットワークは、ＩＳＰの同じＤＳＬＡＭ５に結合される。
【０００４】
ベクトル化されたＶＤＳＬ２システムは、自己ＦＥＸＴ（遠端クロストーク）キャンセル技法をサポートするＶＤＳＬ２システムである。「ベクトル化されたＶＤＳＬ２  ＤＳＬＡＭ」は、ベクトル化されたグループと呼ばれる、ケーブル内のラインのグループに接続された、一緒に配置されたＶＤＳＬ２トランシーバのアレイを含む。顧客へのダウンストリーム方向におけるＦＥＸＴキャンセルをサポートするために、ＶＤＳＬ２信号の送信は、以下のようにすべてが協調されなければならず、すなわちすべての信号は同じ副搬送波間隔、シンボルレート、および循環拡張長さ（cyclic extension length）を有して動作し、さらにデータシンボルはライン上に送信されるときにすべて位相整合されなければならない。ベクトル化されたグループに対するチャネル結合行列が知られていると仮定すると、ダウンストリーム自己ＦＥＸＴキャンセルは以下のように達成される。すなわち、すべて位相が同期して送信される送信データサンプルは、プリコーダ行列と等価なものを通して処理される。プリコーダ行列は実際上、クロストークチャネル行列の逆を実現し、それによりデータサンプルが顧客の遠端ＤＳＬ受信機において受信されたときに、送信されたデータサンプルによってケーブル内に注入された自己遠端クロストークは、ＣＰＥ内の受信機入力において実際上除去される。
【０００５】
プリコーダ行列は、自己ＦＥＸＴがキャンセルされるべき、ＶＤＳＬ２周波数帯域内の副搬送波のすべてに対して構築される。ベクトル化されたラインのグループにおける各トランシーバは、プリコーディングのために隣接する送信機からデータサンプル入力を取得して、プリコーダ行列の１つの行を処理するものと見なすことができる。言い換えればクロストークキャンセリング技法は、クロストーク障害のある各ライン上に「逆信号」（anti-signal）を注入することによって達成される。そうするためにベクトル系は、クロストーク係数を導出するためにクロストークを推定し、クロストーク行列の逆を求め（各ＣＰＥはＤＳＬＡＭにそれ自体のクロストーク係数をフィードバックし、ＤＳＬＡＭはその各行がＣＰＥのフィードバックを表す行列を構築することになる）、および「逆信号」を計算するための機構を必要とする。
【０００６】
ＩＴＵ−Ｔ  Ｇ．９９３．５勧告によって指定された新しいＧ．ベクトル標準のより詳細な記述、ならびに遠端（ＦＥＸＴ）および近端クロストーク（ＮＥＸＴ）キャンセル原理は、例えば非特許文献１に述べられている。
【０００７】
例えば非特許文献２では、ベクトル化されたＤＳＬシステムにおける無秩序な退去イベントに対する高速チャネル推定方法について述べられ、これはＣＰＥデバイスのプラグが抜かれたまたはオフにされた場合に、チャネルトラッキングの提供のためにわずかなサンプルのみを必要とする。
【先行技術文献】
【非特許文献】
【０００８】
【非特許文献１】Ｖ．Ｏｋｓｍａｎ  ”Ｔｈｅ  ＩＴＵ−Ｔ’ｓ  Ｎｅｗ  Ｇ．ｖｅｃｔｏｒ  Ｓｔａｎｄａｒｄ  Ｐｒｏｌｉｆｅｒａｔｅｓ  １００  Ｍｂ／ｓ  ＤＳＬ”，  ＩＥＥＥ  Ｃｏｍｍｕｎｉｃａｔｉｏｎｓ  Ｍａｇａｚｉｎｅ，  Ｏｃｔｏｂｅｒ  ２０１０，  ｐ．１４０−１４８
【非特許文献２】Ｃｈｅｎｇｕａｎｇ  Ｌｕ  ｅｔ  ａｌ，  ”Ａ  Ｆａｓｔ  Ｃｈａｎｎｅｌ  Ｅｓｔｉｍａｔｉｏｎ  Ｍｅｔｈｏｄ  ｆｏｒ  Ｄｉｓｏｒｄｅｒｌｙ  Ｌｅａｖｉｎｇ  Ｅｖｅｎｔｓ  ｉｎ  Ｖｅｃｔｏｒｅｄ  ＤＳＬ  Ｓｙｓｔｅｍｓ”，  ＩＣＣ  ２０１１  −  ２０１１  ＩＥＥＥ  Ｉｎｔｅｒｎａｔｉｏｎａｌ  Ｃｏｎｆｅｒｅｎｃｅ  ｏｎ  Ｃｏｍｍｕｎｉｃａｔｉｏｎｓ，  ６  ｐｐ．，  ５−９  Ｊｕｎｅ  ２０１１
【発明の概要】
【０００９】
多数の顧客に供給する中央局機器のｘＤＳＬ接続のためのフロントエンド構成要素を備えたＣＰＥデバイスの動作を終了する方法は、前記ＣＰＥデバイスの電源喪失またはスイッチオフ動作の場合に電源喪失情報を前記中央局機器に送出するステップと、前記ＣＰＥデバイスの前記電源喪失または前記スイッチオフ動作のために他の顧客のｘＤＳＬ接続において起こり得るキャンセルされないクロストークの導入を避けるのに前記中央局機器が必要な間、終端インピーダンスを安定に保つように、前記フロントエンド構成要素のために供給電力を作動状態に保つことによって、前記フロントエンド構成要素の前記終端インピーダンスの変化を避けるために、所定の時間の間、前記フロントエンド構成要素に電力供給するステップと、を含む。
【００１０】
前記フロントエンド構成要素は、中央処理装置のための供給電圧から前記フロントエンド構成要素のための供給電圧を分離するために、前記ＣＰＥデバイスの前記中央処理装置から、具体的には分離手段、例えばスイッチまたは整流素子を用いてデカップリングされる。
【００１１】
本発明の他の態様においては、前記ＣＰＥデバイスは、前記ＣＰＥデバイスの電源喪失またはスイッチオフ動作の場合に、前記ｘＤＳＬ接続のアップストリーム送信経路のアップストリーム信号を遮断するが、前記ｘＤＳＬ接続の前記ライン終端インピーダンスに影響を及ぼさないように、前記アップストリーム送信経路を電力供給された状態に保つ。加えて、前記ｘＤＳＬ接続のダウンストリーム送信経路上で、前記中央局機器のダウンストリーム信号の存在がモニターされ、前記ダウンストリーム信号がもはや存在しなくなった場合は、前記ｘＤＳＬ接続の前記アップストリーム送信経路は電源オフされる。
【００１２】
前記ＣＰＥデバイスは、中央処理装置と、中央局機器とのｘＤＳＬ接続のためのフロントエンド構成要素と、前記中央処理装置のための第１の供給電圧および前記フロントエンド構成要素のための第２の供給電圧を供給する電源ユニットと、前記第２の供給電圧を前記第１の供給電圧からデカップリングするための分離手段とを備える。前記ＣＰＥデバイスは、前記ＣＰＥデバイスの電源喪失またはスイッチオフ動作の場合に、電源喪失情報を前記中央局機器に送出し、所定の時間期間の間、前記フロントエンド構成要素の終端インピーダンスの変化を避けるために、前記電源喪失または前記スイッチオフ動作の後に前記所定の時間期間の間、前記フロントエンド構成要素はアクティブのままとなる。
【００１３】
前記ＣＰＥデバイスは特に、電源がスイッチオフされたときまたは電源喪失の場合に、前記フロントエンド構成要素に電荷を供給するように、前記フロントエンド構成要素に結合され、前記第２の供給電圧をフィルタリングする充電コンデンサを備え、前記充電コンデンサの容量は、前記所定の時間の間、前記フロントエンド構成要素に電力供給するのに十分である。
【００１４】
好ましい実施形態では前記ＣＰＥデバイスは、電源スイッチが押されるとすぐに、前記ＣＰＥデバイスは電源ダウン表示を前記中央局機器に送出するが、前記ＣＰＥデバイスの前記電源ユニットは遅延回路によって決まる遅延を有してスイッチオフされるように構成された、前記ＣＰＥデバイスの前記電源スイッチのための前記遅延回路をさらに備える。
【図面の簡単な説明】
【００１５】
本発明の好ましい実施形態について、概略図面を参照して例として以下でより詳しく説明される。
【図１】顧客のホームネットワークのためにｘＤＳＬサービスを提供するワイドエリアネットワークを示す図である。
【図２】ｘＤＳＬ接続のためのｘＤＳＬラインドライバを備える従来技術のＣＰＥデバイスを示す図である。
【図３】本発明によるＣＰＥデバイスを示す図である。
【図４】ＣＰＥデバイスの動作を終了する方法を示す図である。
【発明を実施するための形態】
【００１６】
以下の説明においては、ｘＤＳＬ接続のためのフロントエンド構成要素、例えばラインドライバを備える顧客宅内機器（ＣＰＥ）デバイスについて述べられる。説明の目的のために、好ましい実施形態の完全な理解をもたらすように数多くの特定の詳細が述べられる。しかし当業者には、本発明はこれらの特定の詳細がなくても実施され得ることが明らかになるであろう。
【００１７】
ＣＰＥデバイスは、例えば住宅用ゲートウェイ、ルータ、またはスイッチであり、中央処理装置と、オペレーティングシステムおよびアプリケーションがそれに記憶された不揮発性メモリと、ＣＰＥデバイスの動作のための揮発性メモリとを含む。ＣＰＥデバイスは具体的には、ｘＤＳＬモデム機能、ゲートウェイおよびスイッチ機能をもたらすための、ハードウェアおよびソフトウェア構成要素を含み、さらにＦＸＳ機能、ＶｏＩＰ機能、およびＷｉ−Ｆｉ動作を含むことができる。
【００１８】
ｘＤＳＬ接続を動作させるためのＣＰＥデバイスの主要部分は、中央局、例えばＤＳＬＡＭと通信するためにデータ信号を受信し供給するフロントエンド構成要素であるラインドライバである。図２に示されるような従来技術のＣＰＥデバイスでは、ラインドライバ１３には中央処理装置１２と一緒に、電源ユニット１０によって供給電圧Ｖｓ１が供給される。充電コンデンサ１４は、供給電圧Ｖｓ１のフィルタリングのために供給電圧Ｖｓ１に結合される。
【００１９】
本発明によると図３に示されるように、分離手段、デカップリング素子１６は、ラインドライバ１３のための供給電圧、供給電圧Ｖｓ２を、中央処理装置１２のために供給される供給電圧Ｖｓ１からデカップリングするように、ＣＰＥデバイス９に含まれる。加えて、さらなる充電コンデンサ１５が、供給電圧Ｖｓ２をフィルタリングするために含まれる。充電コンデンサ１５の容量は、ＣＰＥデバイスの電源喪失またはスイッチオフ動作の場合に、ＤＳＬＡＭがＣＰＥデバイス９のためのＤＳＬ接続を終了する前の、ラインドライバ１３の何らかのインピーダンス変化を避けるために、ラインドライバ１３が所定の時間期間の間アクティブのままとなるように大きさが設定される。デカップリング素子１６は、電源ユニット１０がオフのときに、ＣＰＥデバイス９の中央処理装置１２および他の部分がコンデンサ１５によって電力供給されることを避けるように構成された、例えば整流素子、例えばダイオードまたは任意のスイッチである。
【００２０】
この解決策を用いると、コンデンサ１５は電源ユニット１０およびコンデンサ１４から分離されるので、電源喪失またはスイッチオフ動作の場合に、図２の構成と比べてずっと長い時間、ラインドライバ１３をアクティブに維持することが可能になる。電源ユニット１０が動作を停止した後にラインドライバ１３がアクティブのままとなる時間は、コンデンサ１５の容量値によって決まり、ＤＳＬＡＭがＣＰＥデバイス９へのＤＳＬ接続を終了するのに必要な長さだけ、ラインドライバ１３のラインインピーダンスが安定なままとなるように調整され得る。
【００２１】
電源喪失またはスイッチオフ動作の場合は、ＣＰＥデバイス９は、ＤＳＬＡＭに電源喪失イベントを警告するために、ダイイングギャスプ信号として知られる電源喪失表示をＤＳＬＡＭに送出する。このようにして、ＣＰＥデバイス９が属するベクトルグループの他のＤＳＬライン内への、このＤＳＬラインからのキャンセルされないクロストークの導入を避けるために、ＤＳＬＡＭがこのＤＳＬラインをベクトルグループから除去するまで、ラインドライバ１３のライン終端インピーダンスは十分な時間の間、安定なままとなる。
【００２２】
図４に示されるようにＣＰＥデバイス９は、以下の方法ステップにより動作を終了する。何らかの交流電源中断の場合、例えばＣＰＥデバイス９がスイッチオフされた、もしくはユーザがＣＰＥデバイス９の電源プラグを抜いたとき、または何らかの内部直流電源故障の場合は、ステップＳ１０で電源中断が、ＣＰＥデバイス９により、例えば中央処理装置１２によって検出される。次いでステップＳ２０で、ＣＰＥデバイス９は直ちに電源喪失表示信号を中央局機器、例えばＤＳＬＡＭに送出する。さらなるステップＳ３０で、ＤＳＬＡＭへのアップストリーム変調信号は終了されるが、ラインドライバ１３のインピーダンス変化を避けるために、ＤＳＬ接続の送信経路はラインドライバ１３によって電力供給されたままとなる。コンデンサ１５はダイオード１６によって電源ユニット１０からデカップリングされるので、図３でラインドライバ１３は所定の時間期間の間、供給電圧Ｖｓ２によって依然として電力供給される。これは、ＤＳＬＡＭがＣＰＥデバイス９へのＤＳＬ接続を終了するまで、ラインドライバ１３がＤＳＬ接続のためのそのフロントエンドインピーダンスを変化させないことを保証する。
【００２３】
さらなるステップＳ４０では、ＣＰＥデバイス９は、ＣＰＥデバイス９にそのＤＳＬ接続がＤＳＬＡＭのベクトル化されたＤＳＬ動作に依然として含まれているという情報をもたらす、ＤＳＬＡＭダウンストリーム信号の存在をモニターする。ステップＳ５０でＣＰＥデバイス９は、ＤＳＬＡＭがダウンストリーム信号をスイッチオフするまで、ＤＳＬＡＭのダウンストリーム信号をモニターする。この場合はステップＳ６０で、ＣＰＥデバイス９のアップストリーム送信経路は、ＣＰＥデバイスにより、例えば中央処理装置１２によってラインドライバ１３をスイッチオフすることにより終了される。ＤＳＬＡＭのダウンストリーム信号は、例えばラインドライバ１３によってモニターされ得る。あるいは、コンデンサ１５の容量は、ＤＳＬＡＭに送信されたＣＰＥデバイス９の電源喪失表示を受け取った後に何らかのＦＥＸＴを避けるためにＤＳＬＡＭがＣＰＥデバイス９へのダウンストリーム接続を終了できるようにすべての場合において十分に長い所定の時間の間、ラインドライバ１３が電源喪失表示の後にＤＳＬ接続の送信経路に電力供給するためにアクティブのままとなるように、大きさが設定される。
【００２４】
ＣＰＥデバイス９はさらに、ＣＰＥデバイス９が電源スイッチまたは例えばソフトウェアスイッチオフコマンドによってスイッチオフされた後に、電源ユニット１０が所定の時間期間の間、動作したままとなるように、その電源スイッチのためのソフトスイッチ機能、例えば電源スイッチ内に含まれた遅延回路を含むことができる。この場合は、そのＣＰＥデバイス９は、ＣＰＥデバイス９のスイッチオフに応答してＤＳＬＡＭに電源喪失表示を送出するが、電源ユニット１０を動作状態に保つ。さらなるステップでは、ＤＳＬＡＭへのアップストリーム変調信号は終了され、ＤＳＬＡＭのダウンストリーム信号はモニターされるが、ラインドライバ１３は依然として動作しているので、ＤＳＬＡＭへのＣＰＥデバイス９の送信経路は依然として電力供給されたままとなる。ＣＰＥデバイス９が最終的に、ＤＳＬＡＭはもはやダウンストリーム信号を送出していないことを検出したときは、電源ユニット１０はソフトスイッチを用いて中央処理装置１２によってスイッチオフされ、ＣＰＥデバイス９の動作を終了する。あるいはＦＥＸＴを避けるために、ＤＳＬＡＭが、ＤＳＬＡＭに送信されたＣＰＥデバイスの電源喪失表示を受け取った後にＣＰＥデバイスへのダウンストリーム接続を終了することができるように十分長い所定の時間期間の間、ラインドライバ１３を動作させるためにタイマが用いられる。所定の時間期間の後に、ＣＰＥデバイス９はソフトスイッチを用いてタイマによってスイッチオフされる。
【００２５】
したがってＣＰＥデバイスは、すべての状況下でフロントエンド構成要素の終端インピーダンスが、ＤＳＬＡＭがベクトル化されたＤＳＬ接続からＣＰＥデバイスを除去するのに十分な時間期間の間、保持されるように設計され、それによりベクトル化されたＤＳＬ接続に対するＦＥＸＴが避けられる。フロントエンド構成要素の終端インピーダンスを不変に保つことはベクトル化されたＤＳＬグループが、ＤＳＬＡＭがＣＰＥデバイスのいかなる無秩序な退去イベントによってもベクトルグループの他のすべてのＤＳＬラインに、ＤＳＬ接続に対するキャンセルされていないクロストークを注入しないことを、確実にするための基本となる。故意または偶然の何らかの理由での顧客によるＣＰＥデバイスのターンオフのどのような場合も、これは同じベクトル化されたＤＳＬグループ内にある他の顧客の品質および安定性に影響するので、運用者の期待に対して許容できない。ベクトル化されたＤＳＬグループにおけるそれぞれの不安定性は、他の顧客による不必要なサービスコールにつながる場合があり、ネットワークサービスプロバイダによって提供されるＤＳＬサービスの品質に対する疑いにつながる。したがって本発明によってＣＰＥデバイスは、ＣＰＥデバイスが動作を終了するすべての場合に対して、ベクトル化されたＤＳＬグループから安全に除去され、それにより同じベクトル化されたＤＳＬグループを用いる他の顧客に対する動作の品質は影響を受けない。
【００２６】
また本発明の他の実施形態は、当業者によって本発明の範囲から逸脱せずに利用され得る。本発明は特に住宅用ゲートウェイに限定されず、すべての種類の他のＣＰＥデバイス、例えばルータ、スイッチ、電話機、およびセットトップボックスに対しても有利に使用され得る。したがって本発明は、本明細書に添付された特許請求の範囲に属する。
【図１】
2015527763.tif 000003
【図２】
2015527763.tif 000004
【図３】
2015527763.tif 000005
【図４】
2015527763.tif 000006
【国際調査報告】
2015527763.tif 000007
2015527763.tif 000008
2015527763.tif 000009